(57)【特許請求の範囲】
【請求項１】
暖房装置から導出された温風を誘導する複数の導風管同士を連結するための導風管連結具であって、前記夫々の導風管の端部に嵌入若しくは被嵌して前記導風管同士を連結するように構成した環体の軸方向中ほどに鍔片を周方向に沿って突設して、前記環体の両端縁から前記鍔片までの部分を前記導風管の端部に嵌入若しくは被嵌される連結部とし、前記環体を構成する帯板の途中を分断する分断部を設け、この分断部により分断された帯板の両端部を離間状態若しくは重合状態となる形状に構成すると共に、この環体を変形自在に設けて径を可変自在に構成し、この環体の径を可変させて前記連結部に前記導風管の端部を連結した際に、前記導風管を押圧する戻り付勢が生ずるように前記環体を構成し、前記分断部近傍の前記帯板の両端部に、この帯板で構成される前記環体の径を可変操作する操作用片部を設けると共に、この操作用片部は、帯板の両端部に突設された前記鍔片に一体に形成したことを特徴とする導風管連結具。
【請求項２】
前記環体を、剛性を有する合成樹脂材料で形成して、前記戻り付勢はこの剛性により発揮されることを特徴とする請求項１記載の導風管連結具。
【請求項３】
前記環体は、この環体の前記連結部に、前記導風管の端部を係止する係止部を備えることを特徴とする請求項１，２のいずれか１項に記載の導風管連結具。
【請求項４】
前記環体を、前記帯板の途中に前記分断部として切欠部を設けて、この切欠部の両端部を離間状態に構成して前記環体をＣ字状の環体に構成し、この切欠部の離間間隔を広狭させて前記環体の径を可変自在に設け、この広狭させた際に戻り付勢が生ずるようにしたことを特徴とする請求項１〜３のいずれか１項に記載の導風管連結具。
【請求項５】
前記環体の前記連結部の外径を前記導風管の端部の内径より径大に設定し、前記環体を縮径して前記導風管の端部に嵌入した際の戻り付勢によって前記環体の連結部に前記導風管を連結することを特徴とする請求項４記載の導風管連結具。
【請求項６】
暖房装置から導出された温風を誘導する導風体であって、請求項１〜５のいずれか１項に記載の導風管連結具で前記導風管を連結したことを特徴とする導風体。
【発明の詳細な説明】
【技術分野】
【０００１】
本発明は、導風管連結具及び導風体に関するものである。
【背景技術】
【０００２】
家庭や工場などで温風暖房機などから送風される温風を離れた場所に導くダクトなどの導風管が用いられている。
【０００３】
この導風管は、例えば、可撓性または伸縮性を有する管であり、家庭や工場などにおいて特定の小範囲を効率よく暖房するために用いられており、例えば、家庭では、ファンヒータなどの温風暖房機の前面にこの導風管の一方の端部を向け、他方の端部をコタツの中に入れて暖をとることが行なわれている。
【０００４】
ところが、このような温風暖房機は、温風の循環やスペース上の点から部屋の隅や壁際に置かれることが多く、部屋が小さく暖房したい所までの距離が近い場所には短い導風管が一本あればよいが、暖房したい所が温風暖房機から遠い場所（例えば、離れた別の部屋、廊下、机の足元部分などの局所）には、導風管を継ぎ足したりして長尺の導風管が必要になることがある。
【発明の概要】
【発明が解決しようとする課題】
【０００５】
しかし、家庭などにおいて、暖房機の設置場所によって長さの異なる導風管を種々揃えることは無駄であるし、長い導風管はかさばるため使用しない時には保管し難く取り扱いにくい。
【０００６】
本発明は、上述のような現状に鑑みなされたもので、比較的短い導風管同士をワンタッチで連結して適宜の長さの導風体に簡単にすることができる導風管連結具と、これによって導風管を連結した導風体を安価に提供することを目的とする。
【課題を解決するための手段】
【０００７】
添付図面を参照して本発明の要旨を説明する。
【０００８】
暖房装置１から導出された温風を誘導する複数の導風管２同士を連結するための導風管連結具であって、前記夫々の導風管２の端部に嵌入若しくは被嵌して前記導風管２同士を連結するように構成した環体３の軸方向中ほどに鍔片４を周方向に沿って突設して、前記環体３の両端縁から前記鍔片４までの部分を前記導風管２の端部に嵌入若しくは被嵌される連結部５とし、前記環体３を構成する帯板３Ａの途中を分断する分断部６を設け、この分断部６により分断された帯板３Ａの両端部を離間状態若しくは重合状態となる形状に構成すると共に、この環体３を変形自在に設けて径を可変自在に構成し、この環体３の径を可変させて前記連結部５に前記導風管２の端部を連結した際に、前記導風管２を押圧する戻り付勢が生ずるように前記環体３を構成し、前記分断部６近傍の前記帯板３Ａの両端部に、この帯板３Ａで構成される前記環体３の径を可変操作する操作用片部14を設けると共に、この操作用片部14は、帯板３Ａの両端部に突設された前記鍔片４に一体に形成したことを特徴とする導風管連結具に係るものである。
【０００９】
また、前記環体３を、剛性を有する合成樹脂材料で形成して、前記戻り付勢はこの剛性により発揮されることを特徴とする請求項１記載の導風管連結具に係るものである。
【００１０】
また、前記環体３は、この環体３の前記連結部５に、前記導風管２の端部を係止する係止部７を備えることを特徴とする請求項１，２のいずれか１項に記載の導風管連結具に係るものである。
【００１１】
また、前記環体３を、前記帯板３Ａの途中に前記分断部６として切欠部６を設けて、この切欠部６の両端部を離間状態に構成して前記環体３をＣ字状の環体３に構成し、この切欠部６の離間間隔を広狭させて前記環体３の径を可変自在に設け、この広狭させた際に戻り付勢が生ずるようにしたことを特徴とする請求項１〜３のいずれか１項に記載の導風管連結具に係るものである。
【００１２】
また、前記環体３の前記連結部５の外径を前記導風管２の端部の内径より径大に設定し、前記環体３を縮径して前記導風管２の端部に嵌入した際の戻り付勢によって前記環体３の連結部５に前記導風管２を連結することを特徴とする請求項４記載の導風管連結具に係るものである。
【００１３】
また、暖房装置１から導出された温風を誘導する導風体であって、請求項１〜５のいずれか１項に記載の導風管連結具で前記導風管２を連結したことを特徴とする導風体に係るものである。
【発明の効果】
【００１４】
本発明は上述のように構成したから、導風管の端部の連結部に嵌入若しくは被嵌するだけで導風管の連結位置が決まり、環体の径を可変させた際の戻り付勢によって導風管をワンタッチで連結でき、しかも、環体の径を可変操作する操作用突片を設けたから、導風管の着脱を容易に行える操作性のよい簡易な導風管連結具になる。
【００１５】
また、請求項２の発明においては、剛性を有する合成樹脂材料で形成することで、環体の径の可変に伴う戻り付勢を容易且つ安価に実現できるものとなる。
【００１６】
また、請求項３の発明においては、導風管との連結を確実に係合できて一層扱い易いものになる。
【００１７】
また、請求項４の発明においては、環体をＣ字状にしたから、環体の径の可変操作も容易となり、一層扱いやすくなる。
【００１８】
また、請求項５の発明においては、環体が導風管の内方から戻り付勢で導風管と連結するから目立たず小型で安価なものになる。
【００１９】
また、請求項６の発明においては、導風管の端部に環体の径を可変させて嵌入若しくは被嵌するだけで導風管の連結位置が決まり、この環体の戻り付勢によって導風管をワンタッチで連結して長尺化できる操作性のよい簡易な導風体になる。
【図面の簡単な説明】
【００２０】
【図１】本実施例に係る導風管連結具の斜視図である。
【図２】本実施例に係る導風管連結具の断面図である。
【図３】本実施例に係る導風体の分解斜視図である。
【図４】本実施例に係る導風体の接続状態の斜視図である。
【図５】本実施例に係る導風管連結具の説明図である。
【図６】本実施例に係る導風管の連結解除状態の説明図である。
【図７】本実施例に係る導風管の連結状態の説明図である。
【図８】本実施例に係る導風体の使用説明図である。
【発明を実施するための形態】
【００２１】
好適と考える本発明の実施形態を、図面に基づいて本発明の作用を示して簡単に説明する。
【００２２】
本発明の環体３は、この環体３を構成する帯板３Ａの途中を分断し、この分断部６により分断された帯板３Ａの両端部が離間状態若しくは重合状態となる形状に構成すると共に、変形自在に設けている。そのため、この帯板３Ａの両端部の離間状態若しくは重合状態の度合を変えると、この環体３の径を可変（径を伸縮）させることができる。この環体３の径を可変させて連結部５を導風管２の端部に嵌入若しくは被嵌すると、環体３がその戻り付勢によって導風管２の端部を押圧して環体３と導風管２とを連結できる。従って本発明の環体３の両端の連結部５に夫々導風管２を連結すると、適宜な長さの導風体11となる。
【００２３】
また、環体３の連結部５を導風管２に嵌入若しくは被嵌すると、この環体３の軸方向中ほどに周方向に沿って突設した鍔片４に、導風管２の端部が係止して迅速に位置決められることになる。
【００２４】
従って、環体３の径を可変させて導風管２の端部に嵌入若しくは被嵌するだけで導風管２の連結位置が決まり、しかもこの嵌入若しくは被嵌した際の戻り付勢により環体３の帯板３Ａが導風管２の内方若しくは外方から導風管２の端部を押圧するから、ワンタッチで導風管２を連結できる操作性のよい簡易な導風管連結具になる。
【００２５】
また、例えば、この環体３を合成樹脂材料で形成すると、戻り付勢をこの合成樹脂材料が有する剛性によって容易に実現でき、しかも量産性に優れた安価なものになる。
【００２６】
また、例えば、環体３の連結部５に導風管２の端部と係合する係止部７を備えると、環体３を導風管２の端部に係止して、この導風管連結具10と導風管２を確実に連結し、よって導風管２同士を確実に連結できて一層扱い易いものになる。
【００２７】
また、例えば、環体３の切欠部６の両端部を離間状態にして環体３をＣ字状に構成すると、切欠部６の離間間隔を広狭させて環体３の径を可変して伸縮変形して、導風管２の端部に環体３を嵌入若しくは被嵌すると戻り付勢によって環体３の径が元に戻り、環体３が導風管２の端部を押圧して環体３と導風管２とが係合することになり、環体３に設けた切欠部６の離間間隔を広狭させるだけの簡単な操作で導風管２を連結できるため更に扱い易くなる。
【００２８】
また、例えば、環体３の外径を導風管２の端部の内径より径大に設定し、且つ、環体３の切欠部６の両端部を離間状態にして環体３をＣ字状に構成すると、この切欠部６の離間間隔を狭めて環体３を導風管２の端部に嵌入させて環体３を導風管２に連結させると環体３は開き方向に戻り付勢が生じて環体３の帯板３Ａが導風管２の端部を押圧して環体３に導風管２の端部を連結できることになる。また、この場合、導風管連結具10は導風管２の内方から押圧するため、閉じ付勢とした場合と較べて、導風管連結具10の存在を目立たたなくすることができると共に小型化でき、よって使用部材の量も少なくてすむから更に安価なものになる。
【００２９】
また、例えば、以上の構成の導風管連結具10を用いると、導風管２の連結位置の位置決めが簡単にでき、この導風管連結具10の戻り付勢によって導風管２同士をワンタッチ連結できるから複数の導風管２を連結して簡単に長尺の導風体にすることができる。
【００３０】
以上から、本発明は、導風管２同士をワンタッチで簡単に連結する安価な導風管連結具10になり、また、この導風管連結具10を用いると、導風管２同士をワンタッチで接続して簡単に長さを延長した長尺の導風体11を提供できることになる。
【実施例】
【００３１】
本発明の具体的な実施例について図面に基づいて説明する。
【００３２】
本実施例は、暖房装置１から導出された温風を誘導する導風体11であって、この導風体11は所定長さの導風管２を連結したものであり、前記導風管２同士の連結は、前記夫々の導風管２の端部に嵌入若しくは被嵌して前記導風管２同士を連結するように構成した環体３の軸方向中ほどに鍔片４を周方向に沿って突設して、前記環体３の両端縁から前記鍔片４までの部分を前記導風管２の端部に嵌入若しくは被嵌される連結部５とし、前記環体３を構成する帯板３Ａの途中を分断する分断部６を設け、この分断部６の両端部を離間状態若しくは重合状態となる形状に構成すると共に、この環体３を変形自在に設けて径を可変自在に構成し、この環体３の径を伸縮変形させて前記連結部５に前記導風管２の端部を連結した際に、前記導風管２を押圧する戻り付勢が生ずるように前記環体３を構成した導風管連結具10により、この環体３の両連結部５から前記鍔片４までの連結部５を夫々前記導風管２に嵌入若しくは被嵌して行われることを特徴とする導風体11である。
【００３３】
図８は、部屋に置かれたコタツ12の暖を取るために本実施例の導風体11を用い、室内暖房用のファンヒータ１の手前に一方の端部を向けて導風体11を配置し、この導風体11の他方の端部をこのコタツ12に入れて暖を取ることを示している。この本実施例の導風体11は、図１〜８に示す導風管連結具10で２本の導風管２を連結したものである。
【００３４】
本実施例では導風管連結具10を介して２本の導風管２を連結しているが、複数の導風管連結具10と複数の導風管２を交互に配設して導風管連結具10で導風管２同士を連結すれば適宜な数の導風管２を多数連結した導風体11を構成することができ、ファンヒータ等の暖房装置１から離れた場所（例えば、離れた別の部屋、廊下、机の足元部分などの局所）の暖を取ることができるようになる。なお、本実施例の導風管連結具10，導風管２及び導風体11は、厳密な気密性を要求しない用途であれば、形状，材料は本実施例に限定されないし、導風する風も温風でも、冷風でも、単なる送風でもよい。
【００３５】
具体的には、導風管２は、可撓性または伸縮性を有する円筒状の管であり、両端は開口すると共に、導風管２の端部は、この導風管部材を内側に折返す構成とするか、若しくは、導風管２の端部にリング状部材13を設けた構成とすることで、導風管２の端部を補強した構造である。
【００３６】
本実施例の導風管２は、導風管２の端部に合成樹脂製のリング状部材13を設けた構成とすることで、導風管２の端部が補強されて導風管２の端部端部の形状を保持すると共に、このリング状部材13の内面と導風管２の内面とで形成される段差部分が後述の導風管連結具10の係止部７と係合する係合受部９となる構成であり、これによって導風管２と導風管連結具10との係合が確実になされる構成である。
【００３７】
なお、本実施例の導風管２は円筒状であるが、矩形状でも適宜の形状でよい。
【００３８】
本実施例の導風管連結具10は、暖房装置１から導出された温風を誘導する複数の導風管２同士を連結するための導風管連結具であって、前記夫々の導風管２の端部に嵌入若しくは被嵌して前記導風管２同士を連結するように構成した環体３の軸方向中ほどに鍔片４を周方向に沿って突設して、前記環体３の両端縁から前記鍔片４までの部分を前記導風管２の端部に嵌入若しくは被嵌される連結部５とし、前記環体３を構成する帯板３Ａの途中を分断する分断部６を設け、この分断部６の両端部を離間状態若しくは重合状態となる形状に構成すると共に、この環体３を変形自在に設けて径を可変自在に構成し、この環体３の径を伸縮変形させて前記連結部５に前記導風管２の端部を連結した際に、前記導風管２を押圧する戻り付勢が生ずるように前記環体３を構成している。
【００３９】
また、導風管連結具10は剛性を有する板状の合成樹脂材料で帯様の環体３を形成して、前記戻り付勢はこの剛性により発揮されるようにすることで、量産性を高めたものであるが、剛性のある金属製の板材を所定形状に加工して撓み弾性を有するようにしてもよい。
【００４０】
また、環体３はこの環体３を構成する帯板３Ａの途中を分断する分断部６の両端部を重合して、この環体３の径を可変自在にして、この環体３の径を伸縮させた際に戻り付勢が生ずるようにしてもよいが、本実施例は、径を伸縮させる際に要する力の程度を考慮して、分断部６の両端部は離間状態にした切欠部６を設けている。
【００４１】
即ち、本実施例では、環体３を、前記帯板３Ａの途中に前記分断部６として切欠部６を設けたものであり、帯板３Ａを長手方向に環状にＣ字状に湾曲させて、このＣ字状の切欠部６の両端部を離間状態に構成し、この切欠部６の離間間隔を広狭させて環体３の径を可変自在に設け、この広狭させた際に戻り付勢が生ずる構成である。
【００４２】
また、本実施例の切欠部６は帯板３Ａを直線的に切欠させたが、切欠部６の形状は、例えば、平面的に噛み合って離間する形状にしてもよい。
【００４３】
本実施例の導風管連結具10は、更に、前記環体３の前記連結部５の外径を前記導風管２の端部の内径より径大に設定し、環体３を縮径して導風管２の端部に嵌入した際の戻り付勢によって環体３の連結部５に導風管２を連結するように構成している。
【００４４】
このように環体３を開き方向に戻り付勢が作用するようにすることで、導風管連結具10は導風管２の内方から押圧するため、閉じ付勢とした場合と較べて、導風管連結具10の存在を目立たたなくすることができると共に小型化でき、よって使用部材の量も少なくてすむから安価なものになる。
【００４５】
また、環体３は、この環体３の連結部５に、導風管２の端部を係止する係止部７を備え、この係止部７は、上述した導風管２の端部に形成された係合受部９と係合して、この環体３の開き付勢によって導風管連結具10と導風管２とが確実に連結する構成である。
【００４６】
この導風管２の係合受部９としては、上述した導風管２の端部の折返し部を利用できるが、本実施例は、導風管２の端部に設けたリング状部材13の辺縁を導風管２の係合受部９とすることで、簡易な構成で効果的に確実に連結できる。
【００４７】
更に、本実施例では、前記切欠部６を挟んで該切欠部６近傍の一対の鍔片４には、この切欠部６を周方向に押圧して切欠部６の離間間隔を狭めることができるように操作用片部14を設けている。
【００４８】
この一対の操作用片部14は、切欠部６を挟んで一対の鍔片４に夫々突起を一体に形成したものであり、導風管連結具10を導風管２から着脱する際には、この一対の操作用片部14を手の指２本で挟んで切欠部６の離間間隔を狭めて導風管連結具10の環体３を導風管２の端部開口部に嵌入し、嵌入後、この操作用片部14から指を離すと、この環体３の帯板３Ａが前記導風管２の端部を内方から押圧して導風管連結具10と導風管２とを連結し、よって導風管２同士をこの導風管連結具10を介して連結できる。
【００４９】
以上のように構成したから、導風管連結具10を、合成樹脂材料で形成した帯様の環体３の帯板３Ａにこの帯板３Ａを分断する切欠部６を設けると、この環体３はこの切欠部６の間隔を伸縮することによって環体３の径を伸縮させることができると共に戻り付勢を発揮できるようになる。この戻り付勢する環体３の帯板３Ａの中ほど周方向に鍔片４を突設させると、この鍔片４は導風管２を連結した際の連結位置決めとすることができ、また、この環体３の連結部５に、導風管２の端部と係合する係止部７を設け、導風管２の端部には、この係止部７と係合する係合受部９を設けることで、この導風管連結具10によって導風管２同士を確実に連結できることになる。また、切欠部６近傍の一対の鍔片４には、夫々操作用片部14を設けたから、導風管２の着脱を容易に行え操作性がよいものとなる。
【００５０】
この操作用片部14は環体３の切欠部６近傍の鍔片４に一体に設けたが、この操作用片部14は棒状でも板状でもよい。
【００５１】
従って、手の指でこの操作用片部14の両端を挟んでこの導風管連結具10の環体３の環を狭めて、この環体３の帯板３Ａの縁から鍔片４までの夫々の部分を導風管２に嵌入し、嵌入後、操作用片部14を挟んでいる指を離すと、この導風管連結具10を双方の導風管２の端部に係合させることができることになり、導風管２同士をワンタッチで連結して長尺の導風体11にすることができる。
【００５２】
この導風体11は、所定長の導風管２を導風管連結具10で連結して構成されるものであり、この導風管連結具10を複数用いて導風管２を多数連結すると容易に導風距離を延長することができる。
【００５３】
本実施例の導風体11は、暖房装置の設置場所などによって長さの異なる導風管を種々揃えることも必要がなく、複数の同一長の導風管２からなるものであるから保管にも便利である。
【００５４】
本実施例の導風管連結具15は、合成樹脂製の開き付勢を有する導風管連結具10を導風管２の端部に嵌入して両者を連結するようにしたが、閉じ付勢を有する導風管連結具10の環体３の端部を導風管２の開口した端部に被嵌するようにしてもよい。この場合には、鍔片４は環体３の内面に設け、操作用片部14を環体３の外面に設ければよい。また、環体３の端部の内径は導風管２の端部の外径より径小にすることで閉じ付勢を発揮するように構成する。
【００５５】
また、本実施例の導風管２若しくは導風体11端部に、固定用の脚部を設けることや、送風用のファンを設けることなど適宜に行うことができる。
【符号の説明】
【００５６】
１  暖房装置
２  導風管
３  環体
３Ａ  帯板
４  鍔片
５  連結部
６  分断部
７  係止部
14 操作用片部
【図１】
0005502029.tif 000002
【図２】
0005502029.tif 000003
【図３】
0005502029.tif 000004
【図４】
0005502029.tif 000005
【図５】
0005502029.tif 000006
【図６】
0005502029.tif 000007
【図７】
0005502029.tif 000008
【図８】
0005502029.tif 000009